(57)【要約】【課題】複数の光センサの検出信号に基づいてバックライトの輝度調整を行う際に、配線抵抗に起因する、光センサ間での検出誤差の発生を防止する。【解決手段】液晶パネル１に配置された光センサ３ａ、３ｂのＴＦＴセンサ３１及びコンデンサ３２間のそれぞれの配線長さを略同一となるように形成し、且つ、コンデンサ３２と信号処理部４との間のそれぞれの配線長さを略同一となるように形成する。ＴＦＴセンサ３１ａ、３１ｂのそれぞれと信号処理部４との間の配線抵抗が略同一となり、信号処理部４に入力される各光センサ３ａ、３ｂの検出信号のそれぞれには、配線抵抗による検出誤差が同等に含まれることになる。よって、光センサ３ａ、３ｂの検出信号間の、配線抵抗による検出誤差のずれの発生を回避することができ、この検出誤差に対する補正処理等といった処理を行う必要はなく、その分、処理負荷の軽減を図ることができる。【選択図】図１
2008197509.tif 000002
【特許請求の範囲】
【請求項１】
光源と、
液晶パネルと、
当該液晶パネルに設けられた複数の光検知手段と、
前記複数の光検知手段の検出値に基づいて前記光源の輝度調整を行う輝度調整手段と、
を備えた液晶表示装置において、
前記複数の光検知手段のそれぞれと前記輝度調整手段とを結ぶ配線間において、配線抵
抗調整用の配線抵抗調整部を有することを特徴とする液晶表示装置。
【請求項２】
前記光検知手段を複数有し、当該複数の光検知手段と前記輝度調整手段とを結ぶ複数の
配線のうち、配線長さが最長のものを基準配線とし、
当該基準配線以外の配線の配線抵抗調整部は、前記基準配線の配線抵抗と同一となる長
さに調整することを特徴とする請求項１記載の液晶表示装置。
【請求項３】
前記光検知手段を複数有し、当該複数の光検知手段と前記輝度調整手段とを結ぶ複数の
配線のうち、配線長さが最短のものを基準配線とし、
当該基準配線以外の配線の配線抵抗調整部は、前記基準配線の配線抵抗と同一となる幅
に調整することを特徴とする請求項１記載の液晶表示装置。
【請求項４】
前記光検知手段のそれぞれは、光検知用のＴＦＴと当該ＴＦＴのソース及びドレイン間
に接続されるコンデンサとを有し、
前記ＴＦＴと前記コンデンサとの間の配線長は、前記光検知手段間で同一であることを
特徴とする請求項１乃至３の何れか１項に記載の液晶表示装置。
【請求項５】
前記液晶パネルの周囲に配置される２つの光検知手段を有し、
これら光検知手段の２つのコンデンサは、前記液晶パネルに配置された２つのＴＦＴ間
を、前記液晶パネルの前記配線を形成可能な領域に沿って結ぶ線分の中点に相当する位置
に配置され、
前記輝度調整手段及び前記２つのコンデンサのそれぞれを結ぶ配線は、前記液晶パネル
の同じ領域を通って形成されることを特徴とする請求項４記載の液晶表示装置。
【請求項６】
前記２つの光検知手段は、１つのコンデンサを共有するようになっていることを特徴と
する請求項５記載の液晶表示装置。
【請求項７】
前記請求項１乃至６の何れか１項に記載の液晶表示装置を備えることを特徴とする電気
機器。
【発明の詳細な説明】
【技術分野】
【０００１】
本発明は、光検知手段で検知した外光照度に応じてバックライト等の光源を自動調光す
るようにした液晶表示装置及びこれを用いた電気機器に関する。
【背景技術】
【０００２】
従来、暗所における画像の視認性向上或いは、バックライトの消費電力を抑える目的で
周囲の明るさに応じてバックライト輝度を調整する液晶表示装置が開発されており、液晶
パネルのパネル上に光センサを配置したものが提案されている（例えば、特許文献１参照
）。この液晶表示装置においては、光センサとしてＴＦＴを用いており、このＴＦＴを用
いたＴＦＴ光センサは、液晶パネルに形成されるＴＦＴと同時に基板上に作製することが
できるため、作製工程を増やすことなく光センサを液晶パネル内に形成することができる
。
【０００３】
そして、ＴＦＴ光センサによりＴＦＴの光リーク電流を検出し、この光リーク電流から
周囲の明るさを推測することで、バックライト輝度調整を行っている。つまり、ＴＦＴ光
センサは、光照射のない場合には、ゲートオフ領域において僅かな暗電流が流れ、一方、
光照射がある場合にはその照度に応じたリーク電流が流れるという光リーク特性を有する
。したがって、このリーク電流から、周囲の明るさを推測することができる。
【０００４】
一方、精度の良い照度検出を目的として、複数の光センサを有するバックライト輝度の
調光システムも提案されている。例えば、複数の光センサにより、複数の外光照度データ
を算出し、その結果に応じてバクライトを調光させるようにしたものが提案されている（
例えば、特許文献２、特許文献３参照）。
【特許文献１】特開２００２−１３１７１９号公報
【特許文献２】特開平９−１４６０７３号公報
【特許文献３】特開２００５−１２１９９７号公報
【発明の開示】
【発明が解決しようとする課題】
【０００５】
ところで、携帯電話等の小型パネルでは液晶パネル面内の輝度ばらつきが小さいと考え
られるため、１つの光検知部があれば十分である。しかしながら、液晶パネル内に設けた
光検知部が遮光されないような商品設計が必要とされ、商品設計の自由度を高めるため光
検知部を複数個設ける必要があると考えられる。
このように光検知部を複数個設けた場合、それぞれの光検知部の配置位置によっては光
検知部の検出値に差が生じる可能性がある。すなわち、液晶パネル上の光検知部と、光検
知部の検出値をもとに処理を行う処理部との間の配線の引き回しによる配線抵抗、或いは
寄生容量等のため、同一の照度が照射されたとしても、処理部で認識する複数の光検出部
位置における検出値は、光検出部の配置位置によって異なる可能性がある。
【０００６】
これを回避するために、光検出部の配置位置による検出値の差を見積もり、これに基づ
き光検知部の検出値を補正する等の方法も考えられるが、回路規模の増大につながること
になる。
そこで、この発明は、上記従来の未解決の課題に着目してなされたものであり、光検知
部の配置位置に起因する検出誤差の発生を容易に回避することの可能な液晶表示装置及び
これを用いた電気機器を提供することを目的としている。
【課題を解決するための手段】
【０００７】
上記した課題を解決するために、本発明の液晶表示装置は、光源と、液晶パネルと、当
該液晶パネルに設けられた複数の光検知手段と、前記複数の光検知手段の検出値に基づい
て前記光源の輝度調整を行う輝度調整手段と、を備えた液晶表示装置において、前記複数
の光検知手段のそれぞれと前記輝度調整手段とを結ぶ配線間において、配線抵抗調整用の
配線抵抗調整部を有することを特徴としている。
したがって、配線抵抗調整部により、光検知手段及び輝度調整手段間の配線抵抗を調整
し、これら間の配線抵抗が基準配線の配線抵抗と同等となるように調整することによって
、光検知手段及び輝度調整手段間の配線抵抗を光検知手段間で同等とすることができ、配
線抵抗の差に起因する光検知手段間の検出誤差の発生を防止することができる。
【０００８】
また、上記した液晶表示装置において、前記光検知手段を複数有し、当該複数の光検知
手段と前記輝度調整手段とを結ぶ複数の配線のうち、配線長さが最長のものを基準配線と
し、当該基準配線以外の配線の配線抵抗調整部は、前記基準配線の配線抵抗と同一となる
長さに調整することを特徴としている。
このように配線長さを調整することによって、複数の光検知手段のそれぞれと輝度調整
手段との間の配転抵抗を容易に同一とすることができる。
【０００９】
また、上記した液晶表示装置において、前記光検知手段を複数有し、当該複数の光検知
手段と前記輝度調整手段とを結ぶ複数の配線のうち、配線長さが最短のものを基準配線と
し、当該基準配線以外の配線の配線抵抗調整部は、前記基準配線の配線抵抗と同一となる
幅に調整することを特徴としている。
このように配線幅を調整することによって、複数の光検知手段のそれぞれと輝度調整手
段との間の配線抵抗を容易に同一とすることができる。
【００１０】
また、上記した液晶表示装置において、前記光検知手段のそれぞれは、光検知用のＴＦ
Ｔと当該ＴＦＴのソース及びドレイン間に接続されるコンデンサとを有し、前記ＴＦＴと
前記コンデンサとの間の配線長は、前記光検知手段間で同一であることを特徴としている
。
これによって、ＴＦＴとコンデンサまでの配線の抵抗及び寄生容量を光検知手段間で同
等とすることができ、コンデンサの放電特性を一致させることができる。
【００１１】
また、上記した液晶表示装置において、前記液晶パネルの周囲に配置される２つの光検
知手段を有し、これら光検知手段の２つのコンデンサは、前記液晶パネルに配置された２
つのＴＦＴ間を、前記液晶パネルの前記配線を形成可能な領域に沿って結ぶ線分の中点に
相当する位置に配置され、前記輝度調整手段及び前記２つのコンデンサのそれぞれを結ぶ
配線は、前記液晶パネルの同じ領域を通って形成されることを特徴としている。
【００１２】
これによって、ＴＦＴ及びコンデンサ間の配線長さを、２つの光検知手段間で容易に同
等とすることができる。
さらに、上記した液晶表示装置において、前記２つの光検知手段は、１つのコンデンサ
を共有するようになっていることを特徴としている。
これによって、コンデンサの数を削減することができ、コスト削減を図ることができる
。
【００１３】
また、本発明に係る電気機器は、前記請求項１乃至６の何れか１項に記載の液晶表示装
置を備えることを特徴としている。
これによって、液晶表示装置を備えた電気機器において、複数の光検知手段のそれぞれ
と輝度調整手段との間の配線抵抗の差に起因する、光検知手段間での検出誤差が発生する
ことのない電気機器を実現することができる。
【発明を実施するための最良の形態】
【００１４】
以下、本発明の実施の形態を説明する。
まず、第１の実施の形態を説明する。
図１は、本発明を適用した液晶表示装置１００の概略構成図である。
この液晶表示装置１００は、液晶パネル１と、液晶パネル１の背面に配置されるバック
ライト（光源）２と、液晶パネル１に配置された光センサ（光検知手段）３ａ及び３ｂと
、この光センサ３ａ及び３ｂの検出信号をＡ／Ｄ変換する信号処理部４と、この信号処理
部４からの、周囲の照度に応じた検出信号に基づいてバックライト輝度を調整するバック
ライト制御部５とを備えている。なお、前記信号処理部４とバックライト制御部５とが輝
度調整手段に対応している。
【００１５】
前記光センサ３ａ及び３ｂは、図２に示すように、ソース側が基準電圧Ｖｓ（例えば２
〔Ｖ〕）、ドレイン側が接地電位に接続されるＴＦＴからなるＴＦＴセンサ３１と、ＴＦ
Ｔセンサ３１のソース及びドレイン間に接続されるコンデンサ３２と、ＴＦＴセンサ３１
のソースと基準電圧との間に介挿されるスイッチ素子３３とから構成され、コンデンサ３
２の両端の電位を検出信号として出力する。
【００１６】
すなわち、ＴＦＴセンサ３１は光照射のない場合はゲートオフ電流において僅かな暗電
流が流れ、一方、光照射があればその照度に応じたリーク電流が流れるといったリーク特
性を有する。したがって、このリーク電流を検出することにより照度を検出する。図２に
おいて、ＴＦＴセンサ３１のゲートに一定の逆バイアス電圧（例えば、−１０〔Ｖ〕）を
印加しておく。スイッチ素子３３をオンとし、一定の基準電圧ＶｓをＴＦＴセンサ３１及
びコンデンサ３２の両端に印加してから所定時間の後に、スイッチ素子３３をオフとする
。これにより、コンデンサ３２に充電された電圧はＴＦＴセンサ３１の周囲の明るさに応
じて時間と共に低下する。
【００１７】
図３は、コンデンサ３２の放電特性を示したものである。図３において、横軸は時間、
縦軸は電圧〔Ｖ〕である。コンデンサ３２の充電電圧は経過時間が増加するほど低下し、
且つ、照度が高いときほど光リーク電流が流れることから、照度が高いときほど電圧の減
少度合が大きい。
したがって、スイッチ素子３３をＯＦＦし、ＴＦＴセンサ３１への基準電圧の印加を停
止した時点から、所定時間経過後のコンデンサ３２の両端の電圧を測定すれば、図３に示
す特性から、液晶パネル１周囲の明るさを推定することができることになる。
【００１８】
信号処理部４は、光センサ３ａ、３ｂの検出信号をＡ／Ｄ変換する。また、スイッチ素
子３３のＯＮ／ＯＦＦ制御を行うと共に、スイッチ素子３３をオフとした後、所定時間経
過後のコンデンサ３２の両端電圧を入力し、これをＴＦＴセンサ３１の配置位置における
照度に応じた照度信号としてバックライト駆動部５に出力する。
また、バックライト駆動部５は、信号処理部４からの照度信号を入力し、これに応じて
バックライト２の輝度を決定し、この輝度となるようにバックライト２を調整し、周囲の
明るさに応じた輝度となるようにバックライトの輝度を調整する。
【００１９】
液晶パネル１には、図１に示すように、画素領域１１が形成され、また、画素領域１１
の一端側（図１の場合には、下側）には、この画素領域１１に形成される公知の画素回路
を駆動するためのドライバＩＣ１２が搭載され、このドライバＩＣ１２と対向する位置に
ＦＰＣ（フレキシブルプリント基板）１３が実装されている。そして、前記信号処理部４
及びバックライト駆動部５は、このＦＰＣ１３に実装されている。
【００２０】
また、各光センサ３ａ、３ｂのＴＦＴセンサ３１ａ及び３１ｂ、コンデンサ３２ａ、３
２ｂは、液晶パネル１上の画素領域１１を除く空き領域上に形成され、隣り合う２辺にそ
れぞれ配置される。例えば、光センサ３ａのＴＦＴセンサ３１ａは、図１において画素領
域１１の上側に配置され、このＴＦＴセンサ３１ａと信号処理部４との間にコンデンサ３
２ａが配置されている。また、光センサ３ｂのＴＦＴセンサ３１ｂ及びコンデンサ３２ｂ
は、図１において、画素領域１１の右側の、ＴＦＴセンサ３１ａ及び信号処理部４間を接
続する配線よりも画素領域１１側に配置される。そして、ＴＦＴセンサ３１ｂ及び信号処
理部４間を結ぶ配線Ｌｂの長さは、ＴＦＴセンサ３１ａ及び信号処理部４間を結ぶ配線Ｌ
ａの長さと略同一となる長さに形成され、途中で配線が折り返して形成される。また、コ
ンデンサ３２ｂは、ＴＦＴセンサ３１ｂ及び信号処理部４間を結ぶ配線Ｌｂの途中の、Ｔ
ＦＴセンサ３１ａ及びコンデンサ３２ａ間の配線Ｌａｔの長さと、ＴＦＴセンサ３１ｂ及
びコンデンサ３２ｂ間の配線Ｌｂｔの長さとが略同一となる位置に配置される。
【００２１】
そして、各光センサ３ａ、３ｂの、ＴＦＴセンサ３１及びコンデンサ３２間を結ぶ配線
Ｌａｔ、Ｌｂｔと、コンデンサ３２及び信号処理部４を結ぶ配線Ｌａｃ、Ｌｂｃとは、同
一の配線抵抗を有する配線で形成されている。つまり、本来ＴＦＴセンサ３１ｂとコンデ
ンサ３２ｂとの間は最短距離で配線すればよいにも関わらず、配線Ｌｂｔ（配線抵抗調整
部）によって、配線Ｌｂ全体の長さが、配線Ｌａの長さと同等となるように配線Ｌｂｔ相
当だけ延長して接続している。
【００２２】
このように、本実施形態では、ＴＦＴセンサ３１及びコンデンサ３２間の配線長さと、
コンデンサ３２及び信号処理部４間の配線長さとは、光センサ３ａ、３ｂ間で略同一長さ
に形成され、且つ、各光センサ３ａ、３ｂにおいて、ＴＦＴセンサ３１及びコンデンサ３
２間を結ぶ配線と、コンデンサ３２及び信号処理部４を結ぶ配線とは、同一の配線抵抗を
有する線で接続されている。
【００２３】
したがって、信号処理部４で光センサ３ａ、３ｂの検出信号、つまり、コンデンサ３２
の両端電圧を入力するまでの間に、光センサ３ａ、３ｂの検出信号が、配線抵抗の影響を
受けたとしても、光センサ３ａ及び３ｂにおいて、配線長さは略同一であり且つ配線抵抗
は略同一であることから、一方の検出信号値が配線抵抗の影響を受けたならば他方の検出
信号値も同等の配線抵抗の影響を受けることになり、配線抵抗による検出誤差は同等とな
る。
【００２４】
したがって、光センサ３ａ、３ｂ間での、配線抵抗に起因する検出誤差の発生を防止す
ることができ、配線抵抗による検出誤差が光センサ３ａ、３ｂに同等に生じているものと
して処理を行うことができるから、配線抵抗に起因する、光センサ３ａ、３ｂ間における
検出誤差の調整等を行う必要はない。したがって、その分、光センサ３ａ、３ｂの検出信
号に対する処理を削減することができ、処理負荷の低減することができる。
【００２５】
また、単に配線長さを調整するだけで実現することができるから、大幅な改造を伴うこ
となく容易に実現することができる。
また、ＴＦＴセンサ３１及び信号処理部４間の長さを略同一とするだけでなく、ＴＦＴ
センサ３１及びコンデンサ３２間の配線長さが略同一となるようにしているから、ＴＦＴ
センサ３１及びコンデンサ３２間の配線抵抗及び寄生容量によるコンデンサ３２の放電特
性を一致させることができ、より確実に検出誤差のずれを回避することができる。
【００２６】
なお、ここでは、光センサとして、２つの光センサ３ａ、３ｂを配置した場合について
説明したが、これに限るものではなく、３つ以上の光センサを配置することも可能である
。この場合には、各光センサ３のＴＦＴセンサ３１それぞれと信号処理部４とを結ぶ複数
の配線のうち、最も長い配線を基準とし、各光センサ３及びＴＦＴセンサ３１を結ぶ配線
長さを基準の配線長さと略同一として、光センサ３の各部を配置すればよい。
【００２７】
また、上記実施の形態においては、隣り合う２辺のそれぞれに光センサ３を配置する場
合について説明したがこれに限るものではなく、任意の位置に配置することができ、この
場合も、各光センサ３のＴＦＴセンサ３１それぞれと信号処理部４とを結ぶ複数の配線の
うち、長い方の配線を基準とし、各光センサ３及びＴＦＴセンサ３１を結ぶ配線長さを基
準の配線長さと略同一として、光センサ３の各部を配置すればよい。
また、上記実施の形態においては、配線を１度折り返すように形成した場合について説
明したが、これに限るものではなく、配線を複数回折り返すようにしてもよく、空き領域
の形状に応じて、任意の形状に配置することができる。
【００２８】
次に、本発明の第２の実施の形態を説明する。
この第２の実施の形態は、上記第１の実施の形態において、光センサ３ａ、３ｂの配置
位置が異なること以外は同様であるので、同一部には同一符号を付与しその詳細な説明は
省略する。
この第２の実施の形態における光センサ３ａ、３ｂは、図４に示すように、液晶パネル
１の隣り合う２辺のそれぞれに、光センサ３のＴＦＴセンサ３１ａ、３１ｂがそれぞれ配
置され、ＴＦＴセンサ３１ａ、３１ｂのそれぞれと信号処理部４との間にコンデンサ３２
ａ、３２ｂがそれぞれ配置されている。そして、ＴＦＴセンサ３１ａ及びコンデンサ３２
ａ間の配線Ｌａｔ長さと、ＴＦＴセンサ３１ｂ及びコンデンサ３２ｂ間の配線Ｌｂｔの長
さとは略同一に形成され、これら配線Ｌａｔ、Ｌｂｔ及び、光センサ３ｂのＴＦＴセンサ
３１ｂ及びコンデンサ３２ｂ間の配線Ｌｂｔは、略同一の配線抵抗を有する線で接続され
ている。一方、光センサ３ａのＴＦＴセンサ３１ａ及びコンデンサ３２ａ間の配線Ｌａｃ
（配線抵抗調整部）の長さは、光センサ３ｂのコンデンサ３２ｂ及び信号処理部４間の配
線Ｌｂｃの長さよりも長いが、その配線幅は、コンデンサ３２ｂ及び信号処理部４間の配
線Ｌｂｃの配線幅よりも広くなるように形成されている。つまり、光センサ３ａは、その
コンデンサ３２ａ及び信号処理部４間の配線Ｌａｃが、これに対応する光センサ３ｂにお
ける配線Ｌｂｃの長さよりも長くその分、配線抵抗の影響を受けるが、配線幅が光センサ
３ｂよりも広く配線抵抗が小さくなるため、結果的に、光センサ３ａ、３ｂにおいて、コ
ンデンサ３２及び信号処理部４間の配線抵抗が略同等となる。
【００２９】
したがって、この場合も上記第１の実施の形態と同等の作用効果を得ることができる。
また、この場合、配線幅を替えることで配線長さを短くすることができることから、配線
を途中で折り返す必要がない。したがって、液晶パネル１と画素領域１１との間の限られ
た空き領域に光センサ３ａ、３ｂを配置する場合であっても、配線を折り返さずに配置す
ることができ、空き領域の幅が比較的狭い場合であっても、この光センサ３を液晶パネル
１上に配置することができる。
【００３０】
次に、本発明の第３の実施の形態を説明する。
この第３の実施の形態は、上記第１の実施の形態において、コンデンサ３２の配置位置
に関するものである。
まず、図５に示すように、光センサ３ａ、３ｂのＴＦＴセンサ３１ａ、３1ｂを、液晶
パネル１の空き領域の所望の位置に配置する。例えば、液晶パネル１の右側の辺の両端近
傍に配置する。
次に、液晶パネル１の空き領域に沿って、これらＴＦＴセンサ３１ａ及び３１ｂ間を結
ぶ線分を設定し、その中点位置を特定する。そして、この中点位置を中心にして、光セン
サ３ａ、３ｂのコンデンサ３２ａ、３２ｂを形成する。
【００３１】
ここで、ＴＦＴセンサ３１ａ、３１ｂの中点にコンデンサ３２ａ、３２ｂを配置してい
る。したがって、ＴＦＴセンサ３１ａ及びコンデンサ３２ａ間の長さと、ＴＦＴセンサ３
１ｂ及びコンデンサ３２ｂ間の長さとは略同等となる。そして、コンデンサ３２ａ、３２
ｂの配置位置は略同一であり、これらそれぞれと信号処理部４との間の長さは略同一であ
る。よって、ＴＦＴセンサ３１ａ、３１ｂのそれぞれと信号処理部４との間の配線Ｌａ、
Ｌｂの長さが略同一となり、且つ、ＴＦＴセンサ３１ａ、３１ｂとコンデンサ３２ａ、３
２ｂとの間のそれぞれの配線Ｌａｔ、Ｌｂｔの長さが略同一となるコンデンサ３２ａ、３
２ｂの配置位置を、容易に決定することができる。
【００３２】
また、例えば、図６に示すように、ＴＦＴセンサ３１ａ、３１ｂを、隣り合う２辺のそ
れぞれに配置する場合も同様であって、まず、ＴＦＴセンサ３１ａ、３１ｂをそれぞれ所
望の位置に配置する。次に、これらＴＦＴセンサ３１ａ及び３１ｂ間を、液晶パネル１の
空き領域に沿って結ぶ線分を想定し、その中点位置を特定する。この場合、ＴＦＴセンサ
３１ａ、３１ｂが２辺に渡って配置されていることから、これらを結ぶ線分は、液晶パネ
ル１の角に沿って折れ曲がった線分となる。そして、この折れ曲がった線分の中点位置を
特定し、この中点位置を中心にして、光センサ３ａ、３ｂのコンデンサ３２ａ、３２ｂを
形成する。これによって、ＴＦＴセンサ３１ａ、３１ｂのそれぞれと信号処理部４との間
の配線Ｌａ、Ｌｂの長さが略同一となり、且つ、ＴＦＴセンサ３１ａ、３１ｂとコンデン
サ３２ａ、３２ｂとの間の配線Ｌａｔ、Ｌｂｔの長さが略同一となるコンデンサ３２ａ、
３２ｂの配置位置を、容易に決定することができる。
【００３３】
特に、中小型液晶パネルにおいて、液晶パネル１の調光システムとして機能するのに十
分なセンサ数は液晶パネル１の１辺あたりに多くても２つあれば十分であると考えられる
。したがって、２つの光センサが配置される中小型液晶パネルに適用することによって、
そのコンデンサ３２の配置位置を容易に決定することができる。
なお、上記第３の実施の形態においては、ＴＦＴセンサ３１ａ、３１ｂの中点位置に、
２つのコンデンサ３２ａ、３２ｂを配置する場合について説明したが、光センサ３ａ及び
３ｂにおいて、コンデンサ３２ａ、３２ｂを共通として前記中点位置に一つのコンデンサ
３２を形成し、さらに、コンデンサ３２ａ、３２ｂのそれぞれと信号処理部４とを結ぶ配
線Ｌａｃ、Ｌｂｃを共通とし、輝度測定を行うタイミングをずらすことによって、光セン
サ３ａ及び３ｂ間でコンデンサ３２を共有するようにしてもよい。
【００３４】
また、上記第３の実施の形態においては、２つの光センサを配置する場合について説明
したが、３つの光センサを配置する場合には、３番目の光センサのＴＦＴセンサ３１及び
コンデンサ３２を、ＴＦＴセンサ３１ａ及びコンデンサ３２ａ間の配線Ｌａｔの長さと略
同一となる位置に、このコンデンサ３２と信号処理部４とを結ぶ配線の、配線幅を、配線
抵抗が他の光センサ３ａ、３ｂにおける、コンデンサ３２及び信号処理部４間の配線抵抗
と同等となるように、形成するようにしてもよい。
【００３５】
この場合、ＴＦＴセンサ３１とコンデンサ３２との間の配線長さは、各光センサ３間で
略同一であることから、コンデンサ３２の放電特性を略同等とすることができる。
なお、上記各実施の形態においては、光センサ３としてＴＦＴセンサ３１を用いた場合
について説明したが、これに限るものではなく、複数の光センサ３の検出信号を、液晶パ
ネル１に形成した配線により信号処理部４に伝達し、この信号処理部４で信号処理を行う
ようになっている光センサであれば、ＴＦＴセンサに限らず適用することができる。
【００３６】
次に、上述した液晶表示装置１００を適用した電子機器について説明する。
図７は、液晶表示装置１００を適用した携帯電話１２０の構成を示す斜視図である。
この図７に示すように、携帯電話１２０は、複数の操作ボタン１２１のほか、受話口１
２２、送話口１２３と共に、上述した液晶表示装置１００を備えるものである。なお、液
晶表示装置１００のうち、液晶パネル１の画素領域１１及びＴＦＴセンサ３１以外の構成
要素については電話機に内蔵されるので、外観としては現れない。
【００３７】
また、液晶表示装置１００が適用される電気機器としては、図７に示される携帯電話の
他にも、デジタルスチルカメラや、ノートパソコン、液晶テレビ、ビューファインダ型（
またはモニタ直視型）のビデオレコーダ、カーナビゲーション装置、ページャ、電子手帳
、電卓、ワードプロセッサ、ワークステーション、テレビ電話、ＰＯＳ端末、タッチパネ
ルを備えた機器等が挙げられる。そして、これらの各種電子機器の表示装置として、上述
した液晶表示装置１００が適用可能であることはいうまでもない。
【図面の簡単な説明】
【００３８】
【図１】本発明の実施の形態の一例を示す液晶表示装置の概略構成図である。
【図２】光センサの一例を示す等価回路である。
【図３】光センサの放電特性を表す特性図である。
【図４】第２の実施形態における光センサの構成を示す説明図である。
【図５】第３の実施形態における光センサの構成を示す説明図である。
【図６】第３の実施形態における光センサの、その他の構成を示す説明図である。
【図７】本発明の液晶表示装置を適用した携帯電話の構成を示す斜視図である。
【符号の説明】
【００３９】
１  液晶パネル、２  バックライト、３ａ、３ｂ  光センサ、４  信号処理部、５  バ
ックライト制御部、３１ａ、３１ｂ  ＴＦＴセンサ、３２ａ、３２ｂ  コンデンサ
【図１】
2008197509.tif 000003
【図２】
2008197509.tif 000004
【図３】
2008197509.tif 000005
【図４】
2008197509.tif 000006
【図５】
2008197509.tif 000007
【図６】
2008197509.tif 000008
【図７】
2008197509.tif 000009